(57)【特許請求の範囲】
【請求項１】
押圧可能な素材で作られる容器本体と、この容器本体の口部に装着される中栓と、この中栓を覆うようにしてこの容器本体の口部に螺着される外キャップとから成り、
前記中栓には、上端が閉塞された円筒形状のノズル支柱に、前記容器本体の軸線に対し斜め上方に傾斜する方向に延びるノズルが設けられ、
前記ノズル支柱の末端には、円盤状に外方に向けて広がる鍔部が設けられ、
この鍔部の天面における前記ノズルが設けられている側の半面には、容器内方に向けて下方に傾斜する凹みを有する液受け部が形成され、
前記外キャップはドーム形状の天面の下方に、前記中栓の鍔部の上に当接する肩部を設けてなり、かつ、前記天面内側に前記ノズル支柱を固定させるための短筒を有し、外キャップ螺着時において、外キャップの短筒がノズル支柱の天面に押圧着し、外キャップの側面がノズルの開口端に押圧着すると共に、外キャップの肩部と中栓の鍔部の端縁が密着固定することを特徴とする液体注出用容器。
【請求項２】
前記ノズル支柱の天面と外キャップの天面とが平坦であって、かつ、ノズル支柱の天面に、短筒を嵌入させるための凹部が設けられていることを特徴とする請求項１に記載の液体注出用容器。
【発明の詳細な説明】
【０００１】
【産業上の利用分野】
本発明は、トイレ用液体洗浄薬液等の収納液に用いる液体注出用容器に関し、特には弾性変形可能な容器本体を押圧して収納液を注出するようにした容器に関する。
【０００２】
【従来の技術】
従来、この種の液体注出用容器においては、トイレ洗浄用の薬液を収納して便器内縁等の回り込んだ部分にその薬液を吹き付けることができるように、容器本体の軸線に対してノズルの向きを傾斜させ、薬液を斜め上方に注出するようにしたものがある。そして、容器の転倒等により収納液がノズルから不用意に漏れ出さないように、キャップを取り付けて防止するようにしていた。
【０００３】
このような容器の一つとして、例えば実開平６ー６７３５４号公報に開示され、図５に示すように、容器本体（１０１）の首部開口に装着される中栓（１０３）に対して、斜め上方に向けて突出するノズル（１０８）を設けてそのノズル先端に注出孔（１１２）を囲む突堤（１１１）を配置し、さらに、中栓（１０３）を覆うキャップ（１１５）を容器本体（１０１）の首部開口に螺着した時に、そのキャップ（１１５）の内面が前記突堤（１１１）と摺接して注出孔（１１２）を閉鎖するようにした構成のものがある。
そして、中栓（１０３）におけるノズル（１０８）に対向する反対側の部分と中栓（１０３）を覆うキャップ（１１５）の内面との間に小隙間（１２１）が得られるように形成されていて、キャップ（１１５）を螺着した際に、キャップ内面とノズル先端の突堤（１１１）とが摺接すると共に、ノズル部分が僅かに後退できるようにした工夫がなされていた。
すなわち、キャップを螺着する際にキャップ内面に連れてノズル先端が下方に下がるのをそのノズル部分の後退によって防ぎ、ノズル先端の突堤（１１１）を適正にキャップ内面に当接させて注出孔（１１２）の閉鎖を図るようにしたものである。
【０００４】
【発明が解決しようとする課題】
ところが、図５に示す容器の中栓（１０３）とキャップ（１１５）では、収納液を注出した際にノズル（１０８）から垂れた液体が中栓（１０３）の外周に付着して容器本体が汚れるという問題がある。
【０００５】
本発明は、トイレ用液体洗浄薬液等に用いる液体注出用容器に関する上記のような問題点を除去するためになされたもので、キャップを中栓に被せてから、回し始めた際、初期の段階において外キャップをノズル支柱に正確に位置を合わせて外キャップ本体側が振れることなく、中栓に対するガタ付き量がほとんどなく、かつ、液止めも完全なキャップ構造を有し、なおかつ、液垂れを回収できる液体注出用容器を提供することを目的とする。
【０００６】
【課題を解決するための手段】
本発明は上記目的を達成するために、まず第１の発明では、押圧可能な素材で作られる容器本体と、この容器本体の口部に装着される中栓と、この中栓を覆うようにしてこの容器本体の口部に螺着される外キャップとから成り、前記中栓には、上端が閉塞された円筒形状のノズル支柱に、前記容器本体の軸線に対し斜め上方に傾斜する方向に延びるノズルが設けられ、前記ノズル支柱の末端には、円盤状に外方に向けて広がる鍔部が設けられ、この鍔部の天面における前記ノズルが設けられている側の半面には、容器内方に向けて下方に傾斜する凹みを有する液受け部が形成され、前記外キャップはドーム形状の天面の下方に、前記中栓の鍔部の上に当接する肩部を設けてなり、かつ、前記天面内側に前記ノズル支柱を固定させるための短筒を有し、外キャップ螺着時において、外キャップの短筒がノズル支柱の天面に押圧着し、外キャップの側面がノズルの開口端に押圧着すると共に、外キャップの肩部と中栓の鍔部の端縁が密着固定することを特徴とする液体注出用容器を提供するものである。
【０００７】
また、第２の発明では、第１の発明において、前記ノズル支柱の天面と外キャップの天面とが平坦であって、かつ、ノズル支柱の天面に、短筒を嵌入させるための凹部が設けられていることを特徴とする液体注出用容器を提供するものである。
【０００８】
【作用】
上記のように本発明によれば、外キャップ天面の内側にノズル支柱天面を固定させるための短筒を設けたので、外キャップを回転させて外キャップを締め付ける際、雄ネジと雌ネジとの間の所定のガタ付きがあっても、外キャップが振れることがなく、外キャップを容器本体に無理なく締め付けることができ、精度の高いセンターリングの機能によりノズル開口端の液密性を高めることができる。
また、鍔部の天面におけるノズルが設けられている側の半面には、容器内方に向けて下方に傾斜する凹みを有する液受け部を設けたので、収納液を容器本体から注出した際、残液がノズル先端から垂れても、液受け部に溜まるのみで口部には垂れてこない。
ノズル支柱の天面と外キャップの天面を平坦にして、かつ、ノズル支柱の天面に外キャップ天面内側に設けられた短筒を嵌入させるための凹部を設けると、外キャップを締める際、短筒が初期の段階で凹部に嵌入するので、位置決め効果がある。
【０００９】
【実施例】
以下実施例により本発明を詳細に説明する。
図１は本発明による液体注出用容器の一実施例を示す断面説明図で、図２は同実施例の中栓の斜視説明図、図３は別の実施例を示す断面説明図、図４は同実施例の中栓の斜視説明図である。
【００１０】
〈実施例１〉
ノズル支柱の天面と外キャップの天面を球状にした液体注出用容器の一例で、図１および図２において、１は液体注出用容器、１０は容器本体、２０は中栓、３０は外キャップである。
【００１１】
容器本体（１０）は、胴部を押圧して容器本体を一度変形させ、押圧を解除したら速やかに元の形状に復帰するような材質で構成されていなければならず、例えば、ポリエチレン、ポリプロピレン、ポリエチレンテレフタレートおよびこれらの積層体等の熱可塑性樹脂によって成形されたものが好適に使用でき、また、中栓（２０）、外キャップ（３０）を構成する素材は、容器本体との装着を気密的に行うことが必要であることから、例えば、ポリエチレン、ポリプロピレン等の熱可塑性樹脂が好適に使用できる。
【００１２】
ここで、中栓（２０）を作製する際、前記熱可塑性樹脂に例えば有機顔料等の添加して有色素材で作製し、外キャップ（３０）を透明または半透明素材で作製すると、外キャップ（３０）透かして中栓（２０）が透視可能となる。
【００１３】
容器本体（１０）の上部には中栓（２０）および外キャップ（３０）を装着する口部（１１）が設けられている。
口部（１１）の端縁には中栓（２０）を装着させる係合部（１２）が設けられ、口部（１１）の外周面には外キャップ（３０）を螺着させる雄ネジ（１３）が設けられている。
【００１４】
中栓（２０）は、上端が半球状に閉塞された円筒形状のノズル支柱（２１）に、容器本体の軸線（ｙ）に対し斜め上方に傾斜する方向に延びるノズル（２２）と、ノズル支柱（２１）の末端から円盤状に外方に向けて広がる鍔部（２３）とから成る。
ノズル（２２）の先端部は、容器本体（１０）に外キャップ（３０）をしっかり装着した時、外キャップの傾斜面がノズル先端部に密着するように、外キャップ（３０）の傾斜面と対応する傾斜面を有するよう加工しておく。
また、外キャップ（３０）の内面とノズル（２２）の先端部とは、同曲率面で構成される曲面を有するように加工しておいても良い。
【００１５】
鍔部（２３）の端縁には、口部（１１）の外周面と係合させるための係合突起（２５）を有する周壁（２４）が垂設されている。
周壁（２４）の内方には、口部（１１）の内周面と嵌合される嵌合突起（２６）が設けられている。
鍔部（２３）の天面におけるノズル（２２）が設けられている側の半面には、容器内方に向けて下方に傾斜する凹みを有する液受け部（２７）が形成されている。
【００１６】
外キャップ（３０）は、ドーム形状の天面の下方に、中栓の鍔部（２３）の上に当接する肩部（３２）を設けて成る。
この天面の内側には、ノズル支柱（２１）を固定させるための短筒（３１）が設けられている。
外キャップの下部内側には、口部の雄ネジ（１３）と螺着させるための雌ネジ（３３）が設けられている。
【００１７】
キャップの開閉および収納液である洗浄薬液の注出あるいは噴出はつぎのように行う。
すなわち、外キャップ（３０）をはずして、ノズル（２２）を洗浄薬液を噴出する方向に向けて容器本体（１０）の胴部を押圧（スクイズ）すると、洗浄薬液はノズル（２２）から噴出する。ノズル（２２）は容器本体（１０）の軸線（ｙ）に対して斜め上方に傾斜する方向に設けられているので、例えば便器の内縁の回り込んだ部分等通常では洗浄液を噴出し難い個所でも、容易に洗浄することができる。容器本体（１０）の押圧（スクイズ）を止めれば、洗浄薬液の噴出は容易に止まる。
ノズル（２２）の先端部は、外キャップ（３０）の傾斜面と密に閉塞するように外キャップの傾斜面と対応する傾斜を有しているので、外キャップ（３０）を閉蓋するとノズル（２２）の先端は、外キャップ（３０）の内面と密に閉塞されて洗浄液が漏れだすことはない。
外キャップ（３０）天面内側に短筒（３１）を設け、ノズル支柱（２１）の天面を挟持するようにしたので、外キャップ（３０）を回転させて外キャップ（３０）を締め付けて行く際、雄ネジ（１３）と雌ネジ（３３）との間の所定のガタ付きがあっても、外キャップ（３０）が振れることなく、外キャップ（３０）を容器本体（１０）に無理なく装着することができる。
ノズル（２２）側の鍔部（２３）に、容器内方に向けて下方に傾斜する凹みを有する液受け部（２７）を設けたので、洗浄薬液噴出後ノズル（２２）から残液が垂れ出たとしても液受け部（２７）に溜まり、容器本体（１０）に垂れ出ないので容器が汚れることがない。
【００１８】
〈実施例２〉
ノズル支柱の天面と外キャップの天面を平坦にし、かつ、ノズル支柱の天面に凹部を設けた液体注出用容器の一例で、図３および図４において、１は液体注出用容器、１０は容器本体、２０は中栓、３０ａは外キャップである。
【００１９】
容器本体（１０）は、実施例１と同様に、胴部を押圧して容器本体を一度変形させ、押圧を解除したら速やかに元の形状に復帰するような材質で構成されていなければならず、例えば、ポリエチレン、ポリプロピレン、ポリエチレンテレフタレートおよびこれらの積層体等の熱可塑性樹脂によって成形されたものが好適に使用でき、また、中栓（２０）、外キャップ（３０ａ）を構成する素材は、容器本体との装着を気密的に行うことが必要であることから、例えば、ポリエチレン、ポリプロピレン等の熱可塑性樹脂が好適に使用できる。
【００２０】
ここで、中栓（２０）を作製する際、前記熱可塑性樹脂に例えば有機顔料等の添加して有色素材で作製し、外キャップ（３０）を透明または半透明素材で作製すると、外キャップ（３０ａ）を透かして中栓（２０）が透視可能となる。
【００２１】
容器本体（１０）の上部には中栓（２０）および外キャップ（３０ａ）を装着する口部（１１）が設けられている。
口部（１１）の端縁には中栓（２０）を装着させる係合部（１２）が設けられ、口部（１１）の外周面には外キャップ（３０ａ）を螺着させる雄ネジ（１３）が設けられている。
【００２２】
中栓（２０）は、上端が平坦で、かつ、外キャップ（３０ａ）の天面内側に設けられた短筒（３１）を嵌入させるための凹部（２８）が形成されたノズル支柱（２１ａ）と、容器本体の軸線（ｙ）に対し斜め上方に傾斜する方向に延びるノズル（２２）と、ノズル支柱（２１ａ）の末端から円盤状に外方に向けて広がる鍔部（２３）とから成る。
ノズル（２２）の先端部は、容器本体（１０）に外キャップ（３０ａ）をしっかり装着した時、外キャップの傾斜内面がノズル先端部に密着するように、外キャップ（３０ａ）の傾斜面と対応する傾斜面を有するよう加工しておく。
【００２３】
鍔部（２３）の端縁には、口部（１１）の外周面と係合させるための係合突起（２５）を有する周壁（２４）が垂設されている。
周壁（２４）の内方には、口部（１１）の内周面と嵌合される嵌合突起（２６）が設けられている。
鍔部（２３）の天面におけるノズル（２２）が設けられている側の半面には、容器内方に向けて下方に傾斜する凹みを有する液受け部（２７）が形成されている。
【００２４】
外キャップ（３０ａ）は、平坦な天面の下方に、中栓の鍔部（２３）の上に当接する肩部（３２）を設けてなる。
この天面の内側には、ノズル支柱（２１）を固定させるための短筒（３１）が設けられている。
外キャップの下部内側には、口部の雄ネジ（１３）と螺着させるための雌ネジ（３３）が設けられている。
【００２５】
キャップの開閉および収納液である洗浄薬剤の注出あるいは噴出の仕方は実施例１の場合と略同様であるので詳細な説明は省略し、相違点のみ記述する。
ノズル支柱（２１ａ）および外キャップ（３０ａ）の天面を平坦にし、かつ、ノズル支柱（２１ａ）の天面に、外キャップ（３０ａ）天面内側に設けられた短筒（３１）を嵌入させるための凹部（２８）を設けたので、外キャップ（３０ａ）を締め付けて行く際、短筒（３１）が初期の段階から凹部（２８）に嵌入して位置決めの効果がある。
【００２６】
【発明の効果】
上記のように本発明によれば、外キャップ天面の内側にノズル支柱天面を固定させるための短筒を設けたので、外キャップを回転させて外キャップを締め付ける際、雄ネジと雌ネジとの間の所定のガタ付きがあっても、外キャップが振れることがなく、外キャップを容器本体に無理なく締め付けることができ、常に完璧な閉蓋ができるようになり、例え容器を転倒させることがあっても収納液が流出するような危険性がなくなった。
また、鍔部の天面におけるノズルが設けられている側の半面には、容器内方に向けて下方に傾斜する凹みを有する液受け部を設けたので、収納液を容器本体から注出した際、残液がノズル先端から垂れても、液受け部に溜まるのみで口径部には垂れてこず、容器は常に清潔な状態を保つ。
【図面の簡単な説明】
【図１】本発明の一実施例を示す断面で表した説明図である。
【図２】本発明の同実施例の中栓の斜視説明図である。
【図３】本発明の別の実施例を示す断面で表した説明図である。
【図４】同実施例の中栓の斜視説明図である。
【図５】従来例を示す断面説明図である。
【符号の説明】
１‥‥液体注出用容器
１０‥‥容器本体
１１‥‥口部
１２‥‥係合部
１３‥‥雄ネジ
２０‥‥中栓
２１‥‥ノズル支柱
２１ａ‥ノズル支柱
２２‥‥ノズル
２３‥‥鍔部
２４‥‥周壁
２５‥‥係合突起
２６‥‥嵌合突起
２７‥‥液受け部
２８‥‥凹部
３０‥‥外キャップ
３０ａ‥外キャップ
３１‥‥短筒
３２‥‥肩部
３３‥‥雌ネジ
１０１‥‥容器本体
１０３‥‥中栓
１０８‥‥ノズル
１１１‥‥突堤
１１２‥‥注出孔
１１５‥‥キャップ
１２１‥‥小隙間
ｙ‥‥軸線
【図１】
0003572705.tif 000002
【図２】
0003572705.tif 000003
【図３】
0003572705.tif 000004
【図４】
0003572705.tif 000005
【図５】
0003572705.tif 000006